(57)【要約】  無線通信システムで用いられる移動体端末であって、電気通信信号を送信および受信する電子構成要素を収めるハウジングを備える。ハウジングはユーザ入力を移動体端末に与える手段を含む。ディスプレイは、ハウジングの入力手段を少なくとも部分的に隠す第１の位置と、ハウジングの入力手段が現れてユーザが触れることができる第２の位置との間に動くように、ハウジングに可動式に取り付けられる。フリップ・カバーはハウジングに旋回式に取り付けられ、閉じた位置と開いた位置との間に動くことができる。フリップ・カバーの大きさは、閉じた位置のときにディスプレイとハウジングの内面とを実質的に隠す寸法である。
2007517463.tif 000002
【特許請求の範囲】
【請求項１】
無線通信システムで用いられる移動体端末２０であって、
ハウジング２２であって、内側の主面および向かい合う外側の主面を有しかつ電気通信信号を送信および受信する電子構成要素を収め、ハウジングの前記内側の主面はユーザ入力を移動体端末２０に与える手段７２を含むハウジング２２と、
ディスプレイ３０であって、内側の主面および向かい合う外側の主面を有し、ハウジング２２内の電子構成要素に電気的に接続され、ディスプレイ３０の内側の主面がハウジング２２の内側の主面に向かい合ってハウジング２２のユーザ入力手段７２を少なくとも部分的に隠す第１の位置と、ハウジング２２のユーザ入力手段７２が現れてユーザが触れることができる第２の位置との間に動くように、ハウジング２２に可動式に取り付けられるディスプレイ３０と、
フリップ・カバー２４であって、内側の主面および向かい合う外側の主面を有しかつハウジング２２内の電子構成要素に電気的に接続され、フリップ・カバー２４の内側の主面はユーザ入力を移動体端末２０に与える手段３４を含み、フリップ・カバー２４はハウジング２２に旋回式に取り付けられて、ディスプレイ３０が第１の位置にあるときにフリップ・カバー２４の内側の主面がディスプレイ３０の外側の主面に向かい合う閉じた位置と、開いた位置との間に動くことができるが可能であり、その大きさは閉じた位置のときにディスプレイ３０の外側の主面とハウジング２２の内側の主面とを実質的に隠す寸法であるフリップ・カバー２４と、
を備える、無線通信システム内で用いられる移動体端末２０。
【請求項２】
ディスプレイ３０はハウジング２２とフリップ・カバー２４との間に旋回式に動くときに同じ軸上で旋回式に動くようにハウジング２２に取り付けられ、ディスプレイ３０の第２の位置で、フリップ・カバー２４のユーザ入力手段３４を少なくとも部分的に隠すようにディスプレイ３０の外側の主面はフリップ・カバー２４の内側の主面に向かい合う、請求項１記載の無線通信システム内で用いられる移動体端末２０。
【請求項３】
ハウジング２２と、フリップ・カバー２４と、ディスプレイ３０とを接続するヒンジ３２を更に含み、ヒンジ３２はハウジング２２と、フリップ・カバー２４と、ディスプレイ３０の動きの軸を提供する、請求項１記載の無線通信システム内で用いられる移動体端末２０。
【請求項４】
ディスプレイ３０と旋回マウンティング３２との間に挿入されてディスプレイ３０を回転させる手段７６を更に含み、回転させる手段７６によりディスプレイ３０は、ディスプレイ３０の内側の主面または外側の主面の一方がハウジング２２またはフリップ・カバー２４の内側の主面に向かい合う位置になるように旋回マウンティング３２の軸に垂直の方向に回転することができる、請求項２記載の無線通信システム内で用いられる移動体端末２０。
【請求項５】
ハウジング２２と、フリップ・カバー２４と、ディスプレイ３０とを接続するヒンジ３２を更に含み、ヒンジ３２はハウジング２２と、フリップ・カバー２４と、ディスプレイ３０の動きの軸を提供し、ディスプレイを回転させる手段７６はヒンジ３２とディスプレイ３０の端とに取り付けられた可動支持体である、請求項４記載の無線通信システム内で用いられる移動体端末２０。
【請求項６】
ディスプレイ３０がハウジング２２の縦軸に垂直な軸の周りの平面内で回転できるようにハウジング２２とディスプレイ３０との間に取り付けられた回転継手５０を更に含む、請求項１記載の無線通信システム内で用いられる移動体端末２０。
【請求項７】
ディスプレイ３０はハウジング２２の縦軸に沿った位置でハウジング２２に取り付けられる、請求項６記載の無線通信システム内で用いられる移動体端末２０。
【請求項８】
ディスプレイ３０はハウジング２２の縦軸から間隔をあけた位置でハウジング２２に取り付けられる、請求項６記載の無線通信システム内で用いられる移動体端末２０。
【請求項９】
回転継手５０によりディスプレイ３０は少なくとも約９０度回転することができる、請求項６記載の無線通信システム内で用いられる移動体端末２０。
【請求項１０】
ハウジング２２およびフリップ・カバー２４のユーザ入力手段３４，７２は、ハウジング２２およびフリップ・カバー２４内に配置されたキーパッド機器を含み、また前記キーパッド機器は触覚入力を受けることができるようにハウジング２２内の電子構成要素に電気的に接続される、請求項１記載の無線通信システム内で用いられる移動体端末２０。
【発明の詳細な説明】
【技術分野】
【０００１】
本発明は一般に移動通信装置に、より詳しくは、無線通信システムで用いられる移動体端末に関するものであって、移動体端末はユーザが図形や画像を見ることができるディスプレイを含む。
【背景技術】
【０００２】
移動体端末はセルラ電話システム内の携帯電話などの無線通信システムで情報を送信および受信するのに用いられる。携帯電話は一般にディスプレイおよび入力機構（携帯電話を制御するのに用いられるキーパッドやボタンなど）を含む。ディスプレイは情報を見るのに用いられ、入力機構は一般にデータの入力だけでなく、ディスプレイを含む任意のマルチメディア・インターフェースの制御に用いられる。
【０００３】
インターネットの利用が拡大するに従って、携帯電話は音声データだけでなくディスプレイ上で見ることができる種々の形式の視覚的データ（電子メール、ファックス、またはその他の形式の処理された文書、絵、ビデオ、またはウエブ・ページなど）の受信器として用いられている。中にはゲーム機として機能する携帯電話もある。しかし携帯電話の種々の機能が増加すると、それに応じて機能毎に種々のタイプの入力機構が必要になる。残念ながら、通常、ユーザは１つのキーボード・レイアウトに限定されるが、これは電話を掛けたり、ゲームをしたり、メッセージを送ったりするなどの複数のモードで十分使用できるものでなければならない。
【発明の開示】
【発明が解決しようとする課題】
【０００４】
携帯電話が小型になるに従って、入力機構に使える面積は小さくなる。人間工学的な理由から、ボタンやキー（特にキーパッド内のキー）の大きさおよび間隔にはそれ以上小さくするのが望ましくない下限がある。１つの解決策は、いわゆる「ソフト・キー」のように、キーに２つ以上の機能を持たせることである。しかし多機能キーに多くの機能を割り当てるほど、携帯電話の使用はますます困難になりまた混乱する。したがって、通常の音声通信に関して携帯性を高めるという点では携帯電話を小型にすることが望ましいが、携帯電話に特徴や機能を追加するという点では小型化は本質的な欠点を有する。例えば、携帯電話で通信したりユーザが入力したりするとき、小型のディスプレイでは見にくい。携帯電話を大型にしても解決策とは言えない。なぜなら、携帯電話が大型になると、コンパクトで携帯しやすい通信装置という目的に反するからである。
【０００５】
上述の理由から、複数の機能に効率的に対応して、しかも小型化および携帯性を保持する無線通信システム用の携帯電話が必要である。
【課題を解決するための手段】
【０００６】
本発明では、無線通信システムで用いられる移動体端末は、内側の主面および向かい合う外側の主面を有しかつ電気通信信号を送信および受信する電子構成要素を収めるハウジングを備える。ハウジングの内側の主面はユーザ入力を移動体端末に与える手段を含む。内側の主面および向かい合う外側の主面を有するディスプレイはハウジング内の電子構成要素に電気的に接続される。ディスプレイは、ディスプレイの内側の主面がハウジングの内側の主面に向かい合ってハウジングのユーザ入力手段を少なくとも部分的に隠す第１の位置と、ハウジングのユーザ入力手段が現れてユーザが触れることができる第２の位置との間に動くように、ハウジングに可動式に取り付けられる。内側の主面および向かい合う外側の主面を有するフリップ・カバーもハウジング内の電子構成要素に電気的に接続される。フリップ・カバーの内側の主面はユーザ入力を移動体端末に与える手段を含む。フリップ・カバーはハウジングに旋回式に取り付けられて、ディスプレイが第１の位置にあるときにフリップ・カバーの内側の主面がディスプレイの外側の主面と向かい合う閉じた位置と、開いた位置との間に動くことができる。フリップ・カバーの大きさは、閉じた位置のときにディスプレイの外側の主面とハウジングの内側の主面とを実質的に隠す寸法である。
【実施例】
【０００７】
ここに用いられているいくつかの用語は単に便宜上のものであって、本発明を制限するものではない。例えば、「上」、「下」、「左」、「右」、「水平」、「垂直」、「上方」、「下方」などの語は単に図に示す配置を記述するものである。実際のところ、構成要素はどの方向を向いてもよく、したがって、別段の指定がない限り、用語はかかる変化を含むと解釈すべきである。
【０００８】
同じ参照番号はいくつかの図を通して対応する要素または同じ要素を指すものとし、本発明に係る移動体端末を図１に一般に２０で示す。移動体端末２０は無線通信網で用いられ、図１に示す実施の形態では移動体端末２０は携帯電話であり、この説明の中で別段の指定がない限り従来のものでよい。移動体端末２０はハウジング２２およびフリップ・カバー２４を含み、これらは任意の寸法および形状でよい。周知のように、ハウジング２０は電気通信信号を送信および受信する電子構成要素を含む。ハウジング２０は音を出す耳当てすなわちスピーカ２８と、英数字テキストや他の画像を表示するディスプレイ３０とを含む。フリップ・カバー２４は音を入力するマウスピース２６を含む。周知のように、フリップ・カバー２４は閉じた位置と開いた位置との間を動くようにヒンジ組立体３２を介してハウジング２２に旋回式に取り付けられる。フリップ・カバー２４の大きさは、閉じた位置のときに、ディスプレイ３０とハウジング２２の内面とをフリップ・カバー２４が実質的に覆う寸法である。フリップ・カバー２４をハウジング２２に接続する方法は、ここでは単に一般的に示されている。周知のように、フリップ・カバー２４を取り付ける他の方法がある。
【０００９】
フリップ・カバー２４が開いた位置のとき(図１)、標準の英数字および関数入力キー３６を備えるキーパッド３４がフリップ・カバー２４の内面上に現れて、ユーザはこれらに触れることができる。フリップ・カバーのキーパッド３４はハウジング２２内の適当な構成要素と電気的に接続されているので、ユーザは触知できる入力を用いてデータを入力し、電話を掛け、ディスプレイ上の画像と対話し、または移動体端末２０のその他の操作を制御することができる。ここで用いる「キーパッド」という用語は接触スイッチ技術に基づくキーパッドに限定されるものではない。この開示で考えられている「キーパッド」は、導電体が接近したことを検知する一般にしばしば「タッチパッド」と呼ばれる非接触タイプを含む任意のタイプの入力技術を指すものとする。
【００１０】
移動体端末２０上に種々の他のユーザ入力装置（図示しない）を設けてもよい。例えば、指示およびメニュー選択を行うためにディスプレイ３０上に画像として示されるカーソル要素の位置を、位置決め装置が制御してよい。適当な位置決め装置としてトラック・ボールまたはトラック・パッドがあるがこれらに限られるわけではない。位置決め装置は複数の方向指示器（図示しない）でもよい。或る方向指示器ボタンを押すことにより、ユーザはディスプレイ３０上のカーソルが動く方向を制御する。カーソルの下のまたはその他の強調表示された項目を実際に選択するために１つ以上のボタンまたは他の選択装置を設けてもよく、これらは指示装置と共に用いてよい。
【００１１】
周知であって本発明を実行するのに用いることができる移動体端末ハウジングおよび関連する構成要素のタイプは多数あり、これらの構成要素について更に詳細に説明する必要はない。理解されるように、本発明は任意の特定のスタイルのハウジングまたは移動体端末に関するものではない。
【００１２】
周知のように、主プロセッサおよびメモリが移動体端２０の全体の動作を制御し、ここではこれらをまとめて「コントローラ」と呼ぶ。説明の便宜上、本発明の実施の形態は一般に移動体端末２０内でソフトウエア命令を実行することにより行われるものとする。かかる命令はＪａｖａ（登録商標）言語、Ｃ、またはＣ＋＋で書かれるものとする。しかし、本発明の範囲内で他の言語をこれらの代わりに用いてよいことに注意していただきたい。周知のように、Ｊａｖａ（登録商標）は消費者装置に関するネットワーク接続可能なアプリケーション用に特に設計されたアプリケーションである。Ｊａｖａ（登録商標）によるソフトウエア開発の詳細は当業者に周知であり、本発明の理解には必要ないので詳細はここに述べない。本発明のいくつかの実施の形態は、ソフトウエアの実行によるのではなく、配線された回路でまたは配線された回路とソフトウエアとの組合せで行ってよい。したがって認識されるように、本発明はハードウエア回路とソフトウエアとの任意の特定の組合せにも、ソフトウエア命令のための任意の特定のソースにも限定されない。
【００１３】
ディスプレイ３０は中心開口４０を有するフレーム３８を含む。ＬＣＤパネル４２はフレーム３８内に固定され、開口４０を通して現れる表示面を有する。ＬＣＤパネル４２は、携帯電話用または他の移動体端末用の多数の一般に用いられる埋込みディスプレイのどれでもよい。ディスプレイ３０は単色でもカラーでもよい。コントローラから画像データを受信するため、ディスプレイ３０はハウジング２２に電気的に接続される。
【００１４】
ディスプレイ３０はハウジング２２の中心に配置され、フリップ・カバー２４が開いてディスプレイ３０が図１に示す位置にあるとき、ディスプレイ３０はハウジング２２の内面の少なくとも一部を隠す。ディスプレイ３０は、ヒンジ組立体３２に近接する回転継手５０により移動体端末２０の中心縦軸に沿ってハウジング２２に回転式に結合される。
【００１５】
図２および図３において、回転継手５０は中空の金属スリーブ５２と、プッシュ・ナット５４と、圧縮ばね５６とで構成する。スリーブ５２は一端に円形フランジ５８を有する。フランジ５８の周辺は周辺方向に間隔をあけた半径方向の４つの回り止め６０を有する。フランジ５８の反対側のスリーブ５２の端部はプッシュ・ナット５４を受けて固定するためのスプライン６２を有する。
【００１６】
スリーブ５２の端部のフランジ５８はハウジング２２の外面内に形成され、スリーブ５２はハウジング２２に対して固定される。ディスプレイ・フレーム３８の内面はスリーブ５２を受けるための切込み開口６６を有する(図３)。フランジ５８上の回り止め６０は間隔をあけた突起６４（図２および図３に２つだけ示す）を受ける。突起６４はディスプレイ・フレーム３８の内面から内向きに伸びる。プッシュ・ナット５４はスリーブ５２の端でスプライン６２に押し付けられるので、ディスプレイ３０はスリーブ５２に固定される。ディスプレイ３０をハウジング２２に対して偏向させるために、ディスプレイ内の開口６６内の肩６８とプッシュ・ナット５４の間で圧縮ばね５６がスリーブ５２の端を囲む。ディスプレイ３０はハウジング２２およびスリーブ５２に対して自由に回転する。ディスプレイ３０とハウジング２２内の適当な電子構成要素とを電気的に接続するために、接続線７０すなわちケーブルがハウジング２２からスリーブ５２を通ってディスプレイ・フレーム３８内に伸びる。接続線７０は複数の回路のための複数の導線を含んでよい。
【００１７】
回転継手５０により、ディスプレイ３０はハウジング２２に対して平面内に、移動体端末２０の縦軸に対して垂直の軸の周りに回転することができる。ディスプレイ３０が回転を始めると、ディスプレイ・フレーム３８に作用するばね５６の力に抗して、突起６４はスリーブ５２の端のフランジ５８の回り止め６０から抜け出す。ディスプレイ３０が更に回転すると、突起６４はフランジ５８上の別の回り止め６０にはまる。回転継手５０は「クリック」機能を有する。すなわち、ディスプレイ３０を解除可能に新しい位置に固定するために突起６４が回り止め６０の中に滑り込むと、カチッという感触をユーザに与える。図２に見られるように回り止め６０は９０度間隔なので、ディスプレイ３０はハウジング２２に対して９０度回転する度に解除可能なように固定位置に固定される。理解されるように、フランジ５８の周囲に任意の数の回り止め６０を設けてよいので、ハウジング２２に対して複数のディスプレイ３０位置を与えることができる。また周知のように、ディスプレイ３０がハウジングに対して回転移動および角移動を共に行うようにディスプレイ３０を移動体端末２０に取り付けることができる。
【００１８】
図４は、ディスプレイ３０を図１に示すディスプレイ位置から９０度回転させた移動体端末２０を示す。ディスプレイ３０を回転させると、ハウジング２２の内面が現れて標準の英数字および関数入力キー７４を備えるキーパッド７２が見える。ハウジング・キーパッド７２はハウジング２２内の適当な構成要素に電気的に接続されているので、ユーザは触覚入力を用いてデータを入力し、電話を掛け、ディスプレイ上の画像と相互作用し、または移動体端末２０のその他の操作を制御することができる。１つの実施の形態では、ハウジング・キーパッド７２は英語のＱｗｅｒｔｙ方式の右側と同様の、キーボードの右側であってもよい。
【００１９】
このように本発明の移動体端末２０では、ハウジング２２上の追加のキー７４が現れる位置までユーザはディスプレイ３０を回転させることができる。ディスプレイ３０をこの位置にしたまま移動体端末２０を横向きに保持すると、ディスプレイ３０の位置はキーパッド３４，７２の上になり、例えば、情報を送信するとき（ユーザが移動体端末２０を用いて文書や他の情報を編集しまたは送信するときなど）に、ユーザは両手を用いてキーボード全体に触れることができる。またユーザは両方のキーパッド３４，７２を用いて、表示された情報を順に見たり、表示中の画像の全部または一部を選択または操作したりすることができる。
【００２０】
図５に示す本発明の別の実施の形態では、移動体端末２０の中心縦軸から間隔をあけて回転継手５０を置いて、ディスプレイ３０を９０度回転させたときにハウジング・キーパッド７２上のより多くのキー７４が現れるようにする。
【００２１】
本発明に係る移動体端末３０の第３の実施の形態を図６-９に示す。移動体端末２０のこの実施の形態の、上に述べた実施の形態に係る移動体端末２０部分と同じ部分は同じ参照番号で示されており、以下では詳細に説明しない。この実施の形態では、フリップ・カバー２４が開いた位置のときに、図６に示す第１の位置と図７に示す第２の位置との間に旋回して動くようにディスプレイ３０はブラケット７６を介してヒンジ組立体３２に結合される。第１の位置では、ディスプレイ３０はハウジング２２の内面と向かい合う。第２の位置では、ディスプレイ３０はフリップ・カバー２４の内面と向かい合う。
【００２２】
ディスプレイ３０が第２の位置に到達するのは、ディスプレイ３０がハウジング２２およびフリップ・カバー２４にほぼ垂直になるまでディスプレイ３０をヒンジ組立体３２の周りに旋回させた後である (図８)。図９に示すように、ディスプレイ３０がハウジング２２およびフリップ・カバー２４の内面から離れた位置にあるときに、ブラケット７６によりディスプレイ３０の中心縦軸の回りにハウジング２２およびフリップ・カバー２４に対してディスプレイ３０を少なくとも１８０度回転移動させることができる。これによりディスプレイ３０の裏面３９がハウジング２２またはフリップ・カバー２４と向かい合うように倒すことができるので、ディスプレイ３０の第１の位置でも第２の位置でもスクリーン４２を見ることができる。
【００２３】
ディスプレイ３０の第１の位置でも第２の位置でも、キーパッド３４，７２の一方はディスプレイ３０の後ろに隠れる。したがって、ディスプレイ３０の位置に従って、キーパッド３４，７２の一方だけから選択的に入力を受けてよい。これは、ディスプレイ３０が第１位置にあるか第２の位置にあるかに基づいて、任意の特定の時刻にフリップ・カバー・キーパッド３４だけまたはハウジング・キーパッド７２だけが使用可能であって、他方のキーパッドは使用不能になることを意味する。移動体端末２０は、ディスプレイ３０の位置を決定するための機構すなわち手段を備えてよい。例えば、スイッチ、リレー、または接点（図示しない）をヒンジ組立体３２およびディスプレイ３０に組み合わせてよい。ディスプレイ３０を動かしたとき、ユーザ入力信号の送出は一方のキーパッドから他方のキーパッドに自動的に切り替えられる。また、センサを用いてディスプレイ３０の位置を決定してよい。例えば周知のように、フリップ・カバー２４を開くと移動体端末２０が電話に応答できるようなセンサである。ディスプレイ３０がどちらかの位置にあるときはそれぞれのキーパッドが隠れて触れることができないためにそのキーパッドは実質的に使用不能になるので、この配置を用いると電力消費が少なくなり、移動体端末２０を扱うときに誤ってキーを押すのを防ぐことができる。
【００２４】
本発明において、キーパッド３４，７２は、電話を掛ける、ゲームをする、メッセージを送るなどの特定の機能について最適なそれぞれ異なるキーパッド・レイアウトを表してよい。その結果、１つのコンパクトな移動体端末２０で２つの異なるキーパッド・レイアウトが得られる。したがって、ハウジング２２およびフリップ・カバー２４に対してディスプレイ３０を旋回しまた回転して好ましいキーパッドを表に出し他方のキーパッドをディスプレイ３０の後ろに隠すことにより、ユーザは好ましいキーパッド・レイアウトを適当に選択しまたディスプレイ３０の位置を決めることができる。このように、本発明はどちらが状況に最も適しているかに従ってキーパッド３４と７２とを容易に切り替え、したがって、移動体端末２０の有用性を高めることができる。
【００２５】
ここでは携帯電話の形の移動体端末の文脈で本発明を説明したが、本発明の移動体端末はこれに限定されるものではなく、キーパッドまたは他の入力機構を必要とする他の電子装置およびアプリケーションで有用であることを理解すべきである。例えば、ここで用いた「携帯電話」という用語は、例えば、マルチライン・ディスプレイを持つまたは持たないセルラ無線電話や、陸線およびコードレス電話や、セルラ電話とデータ処理・ファクシミリ・データ通信の機能とを組み合わせたパーソナル通信システム（ＰＣＳ）端末や、無線電話、ページャ、インターネット／イントラネット・アクセス、ウエブ・ブラウザ、オーガナイザ、カレンダ、および／または全地球測位システム(ＧＰＳ)受信機を含むパーソナル・ディジタル・アシスタント(ＰＤＡ)や、腕時計キーパッド装置や、ディスプレイを含む従来のラップトップおよび／またはパームトップ受信機または他のコンピュータ・システム、などを含んでよい。また、携帯電話は「普及された計算」装置と呼んでもよい。本発明の１つの実施の形態では、本発明はデータを記憶するメモリ回路と、画像を生成するディスプレイと、メモリと受信器との間のデータの流れを制御する制御回路とを有するコンピュータ・システムで実現してよい。
【００２６】
わずかの例示的な実施の形態に関してかなり詳細に本発明を図示して説明したが、本発明はこれらの実施の形態に限定されるものではないことを当業者は理解すべきである。なぜなら、特に上に述べた教示に照らして、本発明の新規な教示と利点から実質的に逸れずに、開示された実施の形態に種々の変更、省略、追加を行ってよいからである。例えば、本発明は多数の携帯用および非携帯用の電子装置およびアプリケーションに用いるのに適している。したがって、全てのかかる変更、省略、追加、および同等物はクレームで定義される本発明の精神と範囲内に含まれるものとしてカバーされると考える。クレームの手段プラス機能の条項は、上に述べた機能を実行するものとして、また構造的な同等物だけでなく同等の構造として、ここに述べた構造をカバーするものである。木の部品を固定するのに釘は円筒面を用いるがねじはらせん面を用いるので、釘とねじとは構造的に同等物ではないが、木の部品を固定するという環境では釘とねじとは同等の構造であろう。
【図面の簡単な説明】
【００２７】
本発明の理解を深めるため、添付の図面および説明に示す実施の形態を参照していただきたい。
【図１】フリップ・カバーが開いた位置にありかつディスプレイがハウジングに接触している、本発明の或る実施の形態に係る移動体端末の平面図である。
【図２】本発明に係る図１に示す移動体端末で用いられる回転継手の組立分解図である。
【図３】図２に示す回転継手の断面図の一部である。
【図４】ハウジングおよびフリップ・カバーに対してディスプレイを回転させた、図１に示す移動体端末の平面図である。
【図５】フリップ・カバーが開いた位置にありかつディスプレイがハウジングおよびフリップ・カバーに対して回転している、本発明の別の実施の形態に係る移動体端末の平面図である。
【図６】フリップ・カバーが開いた位置にありかつディスプレイがハウジングに接触している、本発明に係る移動体端末の更に別の実施の形態に係る移動体端末の側面図である。
【図７】ディスプレイがフリップ・カバーに接触している、図６に示す移動体端末の側面図である。
【図８】ディスプレイを、垂直位置と、図６に示す位置と垂直位置とのほぼ中間の位置（点線）とに示す、図６に示す移動体端末の側面図である。
【図９】ディスプレイが垂直位置にありかつハウジングおよびフリップ・カバーに対して回転している、図６に示す移動体端末の側面図である。
【図１】
2007517463.tif 000003
【図２】
2007517463.tif 000004
【図３】
2007517463.tif 000005
【図４】
2007517463.tif 000006
【図５】
2007517463.tif 000007
【図６】
2007517463.tif 000008
【図７】
2007517463.tif 000009
【図８】
2007517463.tif 000010
【図９】
2007517463.tif 000011
【手続補正書】
【提出日】平成17年10月31日(2005.10.31)
【手続補正１】
【補正対象書類名】明細書
【補正対象項目名】０００３
【補正方法】変更
【補正の内容】
【０００３】
インターネットの利用が拡大するに従って、携帯電話は、音声データだけでなく、ディスプレイ上で見ることのできる種々の形式の視覚的データ（電子メール、ファックス、またはその他の形式の処理された文書、絵、ビデオ、またはウエブ・ページなど）の受信器として用いられている。例えば、特許文書ＵＳ２００２／１５８９９９Ａ１（Ｓｈｉｍａ  Ｍａｋｏｔｏ）、２００２年１０月３１日は、かかるデータを見るためのディスプレイを備える折りたたみ携帯電話を開示している。中にはゲーム機として機能する携帯電話もある。しかし携帯電話の種々の機能が増加するに従って、機能毎に種々のタイプの入力機構が必要になる。残念ながら、通常、ユーザは１つのキーボード・レイアウトに限定されるが、これは電話を掛けたり、ゲームをしたり、メッセージを送ったりするなどの複数のモードで十分使用できるものでなければならない。
【手続補正２】
【補正対象書類名】特許請求の範囲
【補正対象項目名】全文
【補正方法】変更
【補正の内容】
【特許請求の範囲】
【請求項１】
無線通信システムで用いられる移動体端末２０であって、
ハウジング２２であって、内側の主面および向かい合う外側の主面を有しかつ電気通信信号を送信および受信する電子構成要素を収め、ハウジングの前記内側の主面はユーザ入力を移動体端末２０に与える手段７２を含むハウジング２２と、
ディスプレイ３０であって、内側の主面および向かい合う外側の主面を有し、ハウジング２２内の電子構成要素に電気的に接続され、ディスプレイ３０の内側の主面がハウジング２２の内側の主面に向かい合ってハウジング２２のユーザ入力手段７２を少なくとも部分的に隠す第１の位置と、ハウジング２２のユーザ入力手段７２が少なくとも部分的に現れてユーザが触れることができる第２の位置との間に動くようにハウジング２２に可動式に取り付けられるディスプレイ３０と、
フリップ・カバー２４であって、内側の主面および向かい合う外側の主面を有しかつハウジング２２内の電子構成要素に電気的に接続され、フリップ・カバー２４の内側の主面はユーザ入力を移動体端末２０に与える手段３４を含み、フリップ・カバー２４はハウジング２２に旋回式に取り付けられて、ディスプレイ３０が第１の位置にあるときにフリップ・カバー２４の内側の主面がディスプレイ３０の外側の主面に向かい合う閉じた位置と、開いた位置との間に動くことができるが可能であり、その大きさは閉じた位置のときにディスプレイ３０の外側の主面およびハウジング２２の内側の主面を実質的に隠す寸法であるフリップ・カバー２４と、
ヒンジ３２であって、ハウジング２２と、フリップ・カバー２４と、ディスプレイ３０とを接続し、ハウジング２２と、フリップ・カバー２４と、ディスプレイ３０の動きの軸を提供するヒンジ３２と、
を含む機器を特徴とする、無線通信システム内で用いられる移動体端末２０。
【請求項２】
ディスプレイ３０の第２の位置で、フリップ・カバー２４のユーザ入力手段３４を少なくとも部分的に隠すようにディスプレイ３０の外側の主面はフリップ・カバー２４の内側の主面に向かい合う、請求項１記載の無線通信システム内で用いられる移動体端末２０。
【請求項３】
ディスプレイ３０とヒンジ３２との間に挿入されてディスプレイ３０を回転させる手段７６を更に含み、回転させる手段７６によりディスプレイ３０は、ディスプレイ３０の内側の主面または外側の主面の一方がハウジング２２またはフリップ・カバー２４の内側の主面に向かい合う位置になるようにヒンジ３２の軸に垂直の方向に回転することができる、請求項２記載の無線通信システム内で用いられる移動体端末２０。
【請求項４】
ディスプレイを回転させる手段７６はヒンジ３２とディスプレイ３０の端とに取り付けられた可動支持体である、請求項３記載の無線通信システム内で用いられる移動体端末２０。
【請求項５】
ハウジング２２およびフリップ・カバー２４のユーザ入力手段３４，７２は、ハウジング２２およびフリップ・カバー２４内に配置されたキーパッド機器を含み、また前記キーパッド機器は触覚入力を受けることができるようにハウジング２２内の電子構成要素に電気的に接続される、請求項１記載の無線通信システム内で用いられる移動体端末２０。
【請求項６】
無線通信システムで用いられる移動体端末２０であって、
ハウジング２２であって、内側の主面および向かい合う外側の主面を有しかつ電気通信信号を送信および受信する電子構成要素を収め、ハウジングの前記内側の主面はユーザ入力を移動体端末２０に与える手段７２を含むハウジング２２と、
ディスプレイ３０であって、内側の主面および向かい合う外側の主面を有し、ハウジング２２内の電子構成要素に電気的に接続され、ディスプレイ３０の内側の主面がハウジング２２の内側の主面に向かい合ってハウジング２２のユーザ入力手段７２を少なくとも部分的に隠す第１の位置と、ハウジング２２のユーザ入力手段７２が少なくとも部分的に現れてユーザが触れることができる第２の位置との間に動くようにハウジング２２に可動式に取り付けられるディスプレイ３０と、
フリップ・カバー２４であって、内側の主面および向かい合う外側の主面を有しかつハウジング２２内の電子構成要素に電気的に接続され、フリップ・カバー２４の内側の主面はユーザ入力を移動体端末２０に与える手段３４を含み、フリップ・カバー２４はハウジング２２に旋回式に取り付けられて、ディスプレイ３０が第１の位置にあるときにフリップ・カバー２４の内側の主面がディスプレイ３０の外側の主面に向かい合う閉じた位置と、開いた位置との間に動くことができるが可能であり、その大きさは閉じた位置のときにディスプレイ３０の外側の主面およびハウジング２２の内側の主面を実質的に隠す寸法であるフリップ・カバー２４と、
ディスプレイ３０がハウジング２２の縦軸に垂直な軸の周りの平面内で回転できるようにハウジング２２とディスプレイ３０との間に取り付けられる回転継手５０と、
を含む機器を特徴とする、無線通信システム内で用いられる移動体端末２０。
【請求項７】
ディスプレイ３０はハウジング２２の縦軸に沿った位置でハウジング２２に取り付けられる、請求項６記載の無線通信システム内で用いられる移動体端末２０。
【請求項８】
ディスプレイ３０はハウジング２２の縦軸から間隔をあけた位置でハウジング２２に取り付けられる、請求項６記載の無線通信システム内で用いられる移動体端末２０。
【請求項９】
回転継手５０によりディスプレイ３０は少なくとも約９０度回転することができる、請求項６記載の無線通信システム内で用いられる移動体端末２０。
【請求項１０】
ハウジング２２およびフリップ・カバー２４のユーザ入力手段３４，７２は、ハウジング２２およびフリップ・カバー２４内に配置されたキーパッド機器を含み、また前記キーパッド機器は触覚入力を受けることができるようにハウジング２２内の電子構成要素に電気的に接続される、請求項６記載の無線通信システム内で用いられる移動体端末２０。
【国際調査報告】
2007517463.tif 000012
2007517463.tif 000013
2007517463.tif 000014